(57)【要約】【課題】引き出し付きの家具において、引き出し前面部分を表裏両面が使用できる部材に形成し設置後、いつでもその前板を組み立て直してリバーシブル利用ができる引出し構造にしたものでコストを掛けずに簡単にいつでも前板の裏返し変更ができるようにするものである。【解決手段】表裏両面が使用できる引き出しの前板と引き出しの箱組枠を独立させ、その前板と箱組枠とを連結固定している取っ手、又は装飾材のネジ穴を前板、箱組枠ともに左右又は、上下対称位置に貫通穴加工することで取っ手、又は装飾材のネジを取り外して前板を裏返して付け直し前板を表裏両面利用できるものとした。【選択図】図１
2011200615.tif 000002
【特許請求の範囲】
【請求項１】
引き出し付きの家具において、その引き出しの前面に配する前板と引き出しを形成する箱組枠とは完全に分離した構造であり、前板と箱組枠は、取っ手、又は装飾材とネジにより挟まれ、連結固定されている。その連結に利用しているネジの貫通穴は、前板と箱組枠ともに左右、又は上下対称に設けられ、取っ手、ネジを取り外した後、前板を分離し、前板を裏返して利用できる構造の引き出しを提供する。
【発明の詳細な説明】
【技術分野】
【０００１】本発明は、家具に備わっている引き出しを設置後いつでもコストを掛けずに簡単に前板を裏返して利用ができる構造を持った引出しを提供するものである。
【背景技術】
【０００２】従来家具の引き出しは、組立式の家具であっても、又、箱組枠構造の引き出しであっても引き出しの前板と中の箱組枠は、一体構造の為、組立後の分離は安易にできない。
【先行技術文献】
【特許文献】
【０００３】
【特許文献１】実用新案登録第３１２２５７８号
【発明の概要】
【発明が解決しようとする課題】
【０００４】家具の引き出し前面は、使用中に傷が付いてしまったり、汚れてしまったり、色や素材に飽きがきてしまうことがあるが、従来家具の引き出し構造では、組立設置後においては、拭き掃除や補修はできても解体ができないため、容易に引き出しの取り外しや交換をすることができない。
【課題を解決するための手段】
【０００５】引き出し付きの家具において、その引き出しの前面に配する前板と引き出しを形成する箱組枠とは完全に分離した構造であり、前板と箱組枠は、取っ手、又は装飾材とネジにより挟まれ、連結固定されている。その連結に利用しているネジの貫通穴は、前板と箱組枠ともに左右、又は上下対称に設けられ、取っ手、ネジを取り外した後、前板を分離し、裏返して利用できる構造の引き出しを提供する。
【発明の効果】
【０００６】本発明の引き出しは、引き出し前面の表裏を簡単に変更することができるので汚れや傷が付いてしまった場合には、同色、同素材であれば表裏の交換で復元ができ、又、模様替え目的で表裏別素材、別色で作成された前板であれば、表裏交換で商品のイメージをまったく別の雰囲気に変えることができる。【０００７】又、既存の取っ手や装飾ハンドルをそのまま使用し組み立て直しをするだけの簡単な作業で交換ができ、且つ、構造も単純なのでコストも掛からず、１つの家具で２タイプの家具を低単価で楽しむことができる。
【図面の簡単な説明】
【０００８】
【図１】通常の引き出しから前板を固定している１個の取っ手のネジを取り外して前板を左右方向に裏返し変更する実施方法を示した大型ハンドルを使用した説明図である。
【図２】通常の引き出しから前板を固定している１個の取っ手のネジを取り外して前板を左右方向に裏返し変更する実施方法を示した小型取っ手を使用した説明図である。
【図３】前板を固定している装飾材のネジを取り外して前板を左右方向に裏返し変更する実施方法を示した説明図である。
【図４】前板を固定している２個の取っ手のネジを取り外して前板を上下方向に裏返し変更する実施方法を示した説明図である。
【図５】前板を固定している１個の取っ手のネジを取り外して前板を左右方向に裏返し変更する実施方法を示した中型取っ手を使用した説明図である。
【図６】従来家具の引出し構造を示す図で前板が箱組枠構造ではなく、引出し側板と前板が直接木ダボとボンドで接合されている引出し図である。
【図７】従来家具の引出し構造を示す図で前板と箱組枠構造の内部が木ネジにより固定されている引出し図である。
【図８】前板の表裏を変更できる構造を示した左右対称の穴加工を示した前板の設計図である。
【図９】前板の表裏を変更できる構造を示した上下対称の穴加工を示した前板の設計図である。
【図１０】前板の表裏を変更できる構造を示した上下左右対称の穴加工を示した前板の設計図である。
【図１１】前板の表裏を変更できる構造を示した２個の取っ手を使用した場合の左右対称の穴加工を示した前板の設計図である。
【図１２】本発明の引き出し構造を備えた商品参考図である。
【発明を実施するための形態】
【０００９】引き出し内部の構造は、箱組枠とする。箱組枠と分離できる前板を固定する取っ手や装飾ハンドルをそのまま利用するために箱組枠の前面と引き出し前板の穴加工は、左右、又は上下対称設計とし前板を裏返ししても同じ位置に取り付けられるようにした。
【００１０】図１は、本発明の引出し構造から前板を裏返しする作業手順を示したものである。前板１と箱組枠２は、取っ手（大型ハンドル）３とネジ４により貫通連結固定されている。
【００１１】ネジ４を一旦取り外して取っ手３、前板１、箱組枠２を分離し、前板１を左右方向に反転させてからネジ４にて再固定するものである。
【００１２】図２は、前板５と箱組枠６は、取っ手（小型ハンドル）７とネジ４により貫通連結固定されている。
【００１３】ネジ４を一旦取り外して取っ手７、前板５、箱組枠６を分離し、前板５を左右方向に反転させてからネジ４にて再固定するものである。
【００１４】図３は、装飾材を利用した引き出しの裏返し作業を示した使用例である。前板８、箱組枠９、装飾材１０を連結固定しているネジ４を取り外して前板８を左右裏返しして再固定している図である。
【００１５】図４は、２個の取っ手を使用した引き出しの裏返し作業を示した使用例である。前板１１、箱組枠１２、取っ手１３を連結固定しているネジ４を取り外して前板１１を上下裏返しして再固定している図である。
【００１６】図５は、中型の取っ手を使用した引き出しの裏返し作業を示した使用例である。前板１４、箱組枠１５、中型取っ手１６を連結固定しているネジ４を取り外して前板１４を左右裏返しして再固定している図である。
【００１７】図６は、一般的な箱組枠構造ではない引出し構造を示す図で引出し内部枠１８と前板１７は、ボンドにて接続固定されている図であり、取っ手１９は、前板だけに固定されている。
【００１８】図７は、一般的な箱組枠構造の引出しを示す図で箱組枠２１と前板２０は、木ネジ２３により固定されている。取っ手２２は、前板２０と箱組枠２１を挟んでネジ４により固定されている。
【００１９】図８は、裏返し利用ができる構造となる貫通穴を示す引き出し前板の設計図である。前板２４にあいている取っ手の貫通穴は、左右寸法Ａが等しい穴加工の設計図である。
【００２０】図９は、裏返し利用ができる構造となる貫通穴を示す引き出し前板の設計図である。前板２５にあいている取っ手の貫通穴は、上下寸法Ｂが等しい穴加工の設計図である。
【００２１】図１０は、裏返し利用ができる構造となる貫通穴を示す引き出し前板の設計図である。前板２６にあいている取っ手の貫通穴は、上下寸法Ｃと左右寸法Ｄが等しい穴加工の設計図である。
【００２２】図１１は、裏返し利用ができる構造となる貫通穴を示す取っ手を２個使用した場合の引き出し前板の設計図である。前板２７にあいている取っ手の貫通穴は、左右寸法Ｅが等しい穴加工の設計図である。
【００２３】図１２は、本発明の引出し構造を備えた商品参考図である。
【００２４】本発明の引き出しは、引き出し前面の表裏を簡単に変更することができるので汚れや傷が付いてしまった場合には、同色、同素材であれば表裏の交換で復元ができ、又、模様替え目的で表裏別素材、別色で作成された前板であれば、表裏交換で商品のイメージをまったく別の雰囲気に変えることができる。
【００２５】又、既存の取っ手や装飾ハンドルをそのまま使用し組み立て直しをするだけの簡単な作業で交換ができ、且つ、構造も単純なのでコストも掛からず、１つの家具で２タイプの家具を低単価で楽しむことができる。
【産業上の利用可能性】
【００２６】取っ手、又は、装飾材を有する引出し付きの家具であれば、引出し内部の箱組枠と分離可能な表裏両面使用できる引き出し前板を利用することによって取っ手の穴加工位置だけの手段で、安く簡単にいつでも表裏交換ができ、２タイプの家具を楽しむことが可能になる。
【符号の説明】
【００２７】  １  前板
２  箱組枠
３  取っ手（大型ハンドル）
４  ネジ（取っ手、又は装飾材と前板、箱組枠を連結固定するネジ）
５  前板
６  箱組枠
７  取っ手（小型ハンドル）
８  前板
９  箱組枠
１０  装飾材
１１  前板
１２  箱組枠
１３  取っ手
１４  前板
１５  箱組枠
１６  取っ手（中型ハンドル）
１７  前板
１８  引出し内部枠
１９  取っ手
２０  前板
２１  箱組枠
２２  取っ手（中型ハンドル）
２３  木ネジ
２４  前板
２５  前板
２６  前板
２７  前板
【図１】
2011200615.tif 000003
【図２】
2011200615.tif 000004
【図３】
2011200615.tif 000005
【図４】
2011200615.tif 000006
【図５】
2011200615.tif 000007
【図６】
2011200615.tif 000008
【図７】
2011200615.tif 000009
【図８】
2011200615.tif 000010
【図９】
2011200615.tif 000011
【図１０】
2011200615.tif 000012
【図１１】
2011200615.tif 000013
【図１２】
2011200615.tif 000014